(57)【要約】【課題】様々な環境下で高速に大量のデータを記録することが可能な防滴性及びメモリーカードの放熱性能を持った電子機器及び撮像装置を提供する。【解決手段】本体部と、前記本体部に配置され、記録媒体を着脱可能に保持する記録媒体収納部と、前記記録媒体が接続されるコネクタ部と、前記記録媒体を着脱自在に保持する記録媒体装着部と、前記記録媒体を保護するように開閉自在に設けられる蓋部と、前記蓋部を閉状態に保持するためのロック部と、前記蓋部に構成される弾性部と、前記弾性部の一部は、前記蓋部が閉状態で前記本体部に対し、戦記記録媒体装着部を囲むように押圧されるように構成された延出部をもち、前記弾性部の一部は前記蓋部の前記記録媒体側に露出しており、前記蓋部が閉状態で前記記録媒体部に接触している。【選択図】図１３ａ
2018107549.tif 000002
【特許請求の範囲】
【請求項１】
本体部と、
前記本体部に配置され、記録媒体を着脱可能に保持する記録媒体収納部と、
前記記録媒体が接続されるコネクタ部と、
前記記録媒体を着脱自在に保持する記録媒体装着部と、
前記記録媒体を保護するように開閉自在に設けられる蓋部と、
前記蓋部を閉状態に保持するためのロック部と、
前記蓋部に構成される弾性部と、
前記弾性部の一部は、前記蓋部が閉状態で前記本体部に対し、戦記記録媒体装着部を囲むように押圧されるように構成された延出部をもち、
前記弾性部の一部は前記蓋部の前記記録媒体側に露出しており、前記蓋部が閉状態で前記記録媒体部に接触している、
ことを特徴とする電子機器。
【請求項２】
前記弾性部の一部もしくは全部が外観部に露出している、
ことを特徴とする請求項１に記載の電子機器。
【請求項３】
複数の記録媒体部を持つ、ことを特徴とする請求項１又は２に記載の電子機器。
【発明の詳細な説明】
【技術分野】
【０００１】
本発明は、内部にメディア等の記憶媒体を収納可能な収納部を備える撮像装置等の電子機器に関するものである。
【背景技術】
【０００２】
近年、より多様な場所で電子機器及び撮像装置を使用する機会が増大しており、多様な環境下で撮影等を行うため、防滴性能を持った撮像装置がある。また、それらの機器には半導体メモリを内蔵したメモリーカードが記録媒体として使用されている。これらメモリーカードを挿入するメモリースロット部は、例えば、電子スチルカメラの筐体に形成される凹部と、その外側を開閉自在に配置される蓋部材で覆う位置に配置されるが、メモリーカード等を保護するためには、蓋部材の閉時に、蓋部材および凹部内に雨滴等が浸入するのを防止する必要がある。
【０００３】
たとえば特許文献１では、蓋側にメモリースロット部を構成し、軸部をスポンジで本体外側に押圧させることにより防滴を行う構造が開示されている。また、撮像装置の高画素化、４Ｋ等の高画質化により、メモリーカードへ記録される記録量及び記録速度は飛躍的に上昇しており、メモリーカード自体が大きな発熱源となるため、メモリーカードそのものの放熱が必要となってきている。たとえば、特許文献２では、カード蓋の動作に合わせて内部に設けられた放熱フィンが移動し、メモリーカードに接触して放熱する構造が開示されている。
【先行技術文献】
【特許文献】
【０００４】
【特許文献１】特開平８−６２６９２号公報
【特許文献２】特開２０１２−２０３４２３号公報
【発明の概要】
【発明が解決しようとする課題】
【０００５】
しかしながら、上記特許文献１では、メモリースロット部を蓋側に構成しているため、重量が増加、大型化する上、放熱構造を持たないため高画素化に対応できない、等の問題があった。また、上記特許文献２では、放熱フィンを連動移動させるという大きな構造が必要となってしまうために、可動部が大型化しコストアップすること、且つ蓋側では放熱しない構造であり、防滴性もない、等の問題があった。
【０００６】
そこで、本発明の目的は、様々な環境下で高速に大量のデータを記録することが可能な防滴性及びメモリーカードの放熱性能を持った電子機器及び撮像装置を提供すること、とする。
【課題を解決するための手段】
【０００７】
上記目的を達成するために、本発明の電子機器は、本体部と、前記本体部に配置され、記録媒体を着脱可能に保持する記録媒体収納部と、前記記録媒体が接続されるコネクタ部と、前記記録媒体を着脱自在に保持する記録媒体装着部と、前記記録媒体を保護するように開閉自在に設けられる蓋部と、前記蓋部を閉状態に保持するためのロック部と、前記蓋部に構成される弾性部と、前記弾性部の一部は、前記蓋部が閉状態で前記本体部に対し、戦記記録媒体装着部を囲むように押圧されるように構成された延出部をもち、前記弾性部の一部は前記蓋部の前記記録媒体側に露出しており、前記蓋部が閉状態で前記記録媒体部に接触している、ことを特徴としている。
【０００８】
また、本発明の他の特徴とするところは、前記弾性部の一部もしくは全部が外観部に露出している、ことを特徴としている。
【０００９】
また、本発明のその他の特徴とするところは、複数の記録媒体部を持つ、ことを特徴としている。
【発明の効果】
【００１０】
以上説明したように、本発明によれば、様々な環境下で高速に大量のデータを記録することが可能な防滴性及びメモリーカードの放熱性能を持った電子機器及び撮像装置を提供することが可能な電子機器及び撮像装置を提供することができる。
【図面の簡単な説明】
【００１１】
【図１】本発明の実施形態にかかわる撮像装置の前方斜視図。
【図２】メモリーカードユニット部２００の蓋を開いた状態での撮像装置の前方斜視図。
【図３】メモリーカードユニット部２００の前方斜視図。
【図４】メモリーカードユニット部２００の後方斜視図。
【図５】カード蓋ユニット部２１０の拡散分散図。
【図６】本体側カード保持ユニット部３００の拡散分散図。
【図７】メモリーカードユニット部２００の正面図。
【図８】メモリーカードユニット部２００のカード蓋ユニット部２１０を開いた状態での正面図。
【図９】メモリーカードユニット部２００のカード蓋ユニット部２１０を開いた状態での斜視図。
【図１０ａ】メモリーカードユニット部２００のカード蓋ユニット部２１０を開いた状態での正面図。
【図１０ｂ】メモリーカードユニット部２００のカード蓋ユニット部２１０を閉じた状態での正面図。
【図１１】図１０ｂの状態のＣ−Ｃ断面で切断した断面図。
【図１２ａ】図１０ａの状態のＡ−Ａ断面で切断した断面図。
【図１２ｂ】図１２ａの一部拡大図。
【図１３ａ】図１０ｂの状態のＢ−Ｂ断面で切断した断面図。
【図１３ｂ】図１３ａの一部拡大図。
【発明を実施するための形態】
【００１２】
以下に、本発明の第１の実施例の好ましい形態を、添付の図面に基づいて詳細に説明する。図１は本発明の実施形態にかかわる撮像装置の前方斜視図である。
撮像装置１００は、本体部１０１、交換レンズ部１１０、バッテリー部１２０、ハンドル部１６０等から構成されている。また、本体部１０１上には、交換レンズ部１１０を取り付けるための交換レンズマウント部１１１、交換レンズ着脱ノブ１１２や、様々な機能を操作するための操作スイッチ部１３０、外部機器等と接続するための外部入出力部１５０、記録用媒体を装着するためのメモリーカードユニット部２００等が搭載されている。
【００１３】
図２にメモリーカードユニット部２００の蓋を開いた状態での撮像装置の前方斜視図を示す。メモリーカードユニット部２００は撮影データ等を保存するためのメモリーカード部４００、メモリーカード部４００を撮影状態で保護するためのカード蓋ユニット部２１０、メモリーカード部４００を本体に保持するための本体側カード保持ユニット部３００等から構成される。
【００１４】
図３にメモリーカードユニット部２００の前方斜視図、図４にメモリーカードユニット部２００の後方斜視図を示す。カード蓋ユニット部２１０は、カード蓋回転軸２３０を中心として回転してメモリーカード部４００を取り出す構成となっている。また。カード蓋ユニット部２１０は外観部分に露出したカード蓋外観カバー部２１１及びカード蓋ユニット部２１０を開閉する際に作動させるカード蓋ロックノブ２２０をもつ。
【００１５】
本体側カード保持ユニット部３００には、外観部にカード蓋回転軸２３０用の本体側軸保持部３１１を持った本体側カードカバー部３１０と、メモリーカード部４００を構造的、電気的に保持するメモリーカード保持部３３０、メモリーカード保持部３３０が実装されたメモリーカード基板部３６０、及びメモリーカード部４００との信号の入出力をメモリーカード基板部３６０と行うためのメモリーカード用接点部３３２を持つ。
【００１６】
メモリーカード基板部３６０はメモリーカード基板保持部３７０にビス等で保持されており、メモリーカード保持部３３０が実装されていない面側には基板側放熱シート部３５１が接触しており、基板側放熱シート部３５１を介して金属等で構成される本体側放熱部３５０に熱が伝えられ、本体側放熱シート部３５２を通して本体部１０１に熱を逃がす構造となっている。加えて、放熱ファン部３８０を使ってメモリーカード部４００周りに空気の流れをつくり、これによってもメモリーカード部４００の放熱を行っている。
【００１７】
図５にカード蓋ユニット部２１０の拡散分散図、図６に本体側カード保持ユニット部３００の拡散分散図を示す。カード蓋ユニット部２１０は、開閉時のカード蓋回転軸２３０となるカード回転軸ピン２４０と、カード蓋ユニット部２１０を開方向に保持するためのカード蓋付勢用バネ２５０をもつ。また、カード蓋ロックノブ２２０に連動して動作するロックノブ爪部２２１と、ロックノブ爪部２２１が常にかかる方向に保持するためのロックノブ付勢用バネ部２２５、ロックノブ爪部２２１をスムーズにスライド動作させるための蓋側ロックノブ保持部２９０及びカード蓋ユニット部２１０の背面側に配置された弾性部２７０を持つ。
【００１８】
メモリーカード保持部３３０は、メモリーカード着脱用ノブ部３３１を持ち、押下することによりメモリーカード部４００を着脱することが可能になっている。
【００１９】
図７にメモリーカードユニット部２００の正面図、図８にメモリーカードユニット部２００のカード蓋ユニット部２１０を開いた状態での正面図、図９にメモリーカードユニット部２００のカード蓋ユニット部２１０を開いた状態での斜視図を示す。
【００２０】
メモリーカード部４００を保護するためのカード蓋ユニット部２１０は、カード蓋ロックノブ２２０によって本体側カード保持ユニット部３００側に保持されている。カード蓋ロックノブ２２０を開方向にスライドさせると、ロックノブ爪部２２１のロックノブ爪Ｌ字部２２２が本体側カード保持ユニット部３００に設けられた本体側爪保持用穴部３２０から外れ、カード蓋ユニット部２１０がカード蓋回転軸２３０を回転中心として開き、メモリーカード部４００が外部に露出する。
【００２１】
メモリーカード部４００はメモリーカード保持部３３０に保持されており、またメモリーカード部４００着脱可能に構成するため、メモリーカード着脱用ノブ部３３１を操作することによりメモリーカード部４００が押し出されて取り出すことが可能に構成されている。カード蓋ユニット部２１０には弾性部２７０が構成されている。弾性部２７０には、防滴用弾性リブ部２７１と弾性放熱部２８０が設けられており、本体側カード保持ユニット部３００には本体側防滴用溝部３４０が設けられている。
【００２２】
図１０−ａにメモリーカードユニット部２００のカード蓋ユニット部２１０を開いた状態での正面図、図１０−ｂにメモリーカードユニット部２００のカード蓋ユニット部２１０を閉じた状態での正面図を示す。また、図１１に図１０−ｂの状態のＣ−Ｃ断面で切断した断面図、図１２−ａに図１０−ａの状態のＡ−Ａ断面で切断した断面図、図１３−ａに図１０−ｂの状態のＢ−Ｂ断面で切断した断面図を示す。図１２−ｂ及び図１３−ｂはそれぞれ図１２−ａ及び図１３−ａの一部拡大図である。
【００２３】
図１１及び既に示したように、カード蓋ユニット部２１０はカード回転軸ピン２４０を用いて本体側カードカバー部３１０と回転可能に構成されている。また、本体側カードカバー部３１０は本体外装部１７０と共に本体部１０１の外観を構成しており、カードカバー合わせ部１７１で噛みこみの形状を持つことによって防塵、防滴構造を本体側カードカバー部３１０と本体外装部１７０の間で実現している。
【００２４】
図１２−ａ，ｂに示すように、弾性部２７０は、防滴用弾性リブ部２７１がカード蓋ユニット部２１０の裏側方向に突出して構成されている。また、メモリーカード部４００は使用者が着脱可能なようにその一部であるメモリーカード外観側露出部４１０が外観に露出している。メモリーカード部４００側のメモリーカード接点部４２０と、メモリーカード保持部３３０側のメモリーカード用接点部３３２がつながることによってメモリーカード部４００から発生する熱をメモリーカード基板部３６０に伝え、その熱は基板側放熱シート部３５１を介して本体側放熱部３５０に伝わり、熱を外に逃がす。
【００２５】
図１３−ａ，ｂに示すように、カード蓋ユニット部２１０を閉じた状態では、弾性部２７０の防滴用弾性リブ部２７１は、本体部に設けられた本体側防滴用溝部３４０に圧接される。これにより、メモリーカード部４００に対する防塵、防滴構造を構成している。また、カード蓋ユニット部２１０の背面側に配置された弾性部２７０の一部である弾性放熱部２８０は、カード蓋ユニット部２１０が閉じた状態でメモリーカード部４００のメモリーカード外観側露出部４１０に圧接される。
【００２６】
これにより、メモリーカード部４００で発生した熱を弾性放熱部２８０を介してカード蓋ユニット部２１０側に逃がすことが可能になる。特にメモリーカード部４００から直接熱を逃がすことが可能なため、より多くの熱を逃がすことが可能である。また、メモリーカード部４００の差し込み側から放熱でき、メモリーカード用接点部３３２と挟み込む構成になるため、たとえば衝撃等が加わっても安定した電気接続、放熱が可能である。
【００２７】
弾性部２７０はたとえばカード蓋ユニット部２１０の外観に露出するような構成も可能であり、その場合には外気に直接熱を逃がすことができより効率的である。これまで述べてきた構成をとることにより、様々な環境下で高速に大量のデータを記録することが可能な防滴性及びメモリーカードの放熱性能を持った電子機器及び撮像装置を提供することができる。
【００２８】
以上、本発明の好ましい実施形態について説明したが、本発明はこれらの実施形態に限定されず、その要旨の範囲内で種々の変形及び変更が可能である。
【符号の説明】
【００２９】
１００・・・・撮像装置
１０１・・・・本体部
１１０・・・・交換レンズ部
１１１・・・・交換レンズマウント部
１１２・・・・交換レンズ着脱ノブ
１２０・・・・バッテリー部
１３０・・・・操作スイッチ部
１５０・・・・外部入出力部
１６０・・・・ハンドル部
１７０・・・・本体外装部
１７１・・・・カードカバー合わせ部
２００・・・・メモリーカードユニット部
２１０・・・・カード蓋ユニット部
２１１・・・・カード蓋外観カバー部
２２０・・・・カード蓋ロックノブ
２２１・・・・ロックノブ爪部
２２２・・・・ロックノブ爪Ｌ字部
２２５・・・・ロックノブ付勢用バネ部
２３０・・・・カード蓋回転軸
２４０・・・・カード回転軸ピン
２５０・・・・カード蓋付勢用バネ
２７０・・・・弾性部
２７１・・・・防滴用弾性リブ部
２８０・・・・弾性放熱部
２９０・・・・蓋側ロックノブ保持部
３００・・・・本体側カード保持ユニット部
３１０・・・・本体側カードカバー部
３１１・・・・本体側軸保持部
３２０・・・・本体側爪保持用穴部
３２１・・・・本体側爪保持用延出部
３３０・・・・メモリーカード保持部
３３１・・・・メモリーカード着脱用ノブ部
３３２・・・・メモリーカード用接点部
３４０・・・・本体側防滴用溝部
３５０・・・・本体側放熱部
３５１・・・・基板側放熱シート部
３５２・・・・本体側放熱シート部
３５５・・・・円弧外周部
３６０・・・・メモリーカード基板部
３７０・・・・メモリーカード基板保持部
３７１・・・・回転軸保持用突起部
３８０・・・・放熱ファン部
４００・・・・メモリーカード部
４１０・・・・メモリーカード外観側露出部
４２０・・・・メモリーカード接点部
【図１】
2018107549.tif 000003
【図２】
2018107549.tif 000004
【図３】
2018107549.tif 000005
【図４】
2018107549.tif 000006
【図５】
2018107549.tif 000007
【図６】
2018107549.tif 000008
【図７】
2018107549.tif 000009
【図８】
2018107549.tif 000010
【図９】
2018107549.tif 000011
【図１０ａ】
2018107549.tif 000012
【図１０ｂ】
2018107549.tif 000013
【図１１】
2018107549.tif 000014
【図１２ａ】
2018107549.tif 000015
【図１２ｂ】
2018107549.tif 000016
【図１３ａ】
2018107549.tif 000017
【図１３ｂ】
2018107549.tif 000018